(57)【特許請求の範囲】
【請求項１】
外壁パネルの幅方向の一方の側面から当該幅方向に向かって形成された挿入孔に挿入されて前記外壁パネルを支持する支持片と、
前記支持片に略平行に設けられ、揚重機のフックが引掛けられる引掛け部を有する引掛け片と、
前記支持片と前記引掛け片を連結する連結片と、を有する外壁パネル吊り上げ具における前記支持片を、前記挿通孔に挿通して前記外壁パネルを吊り上げる、外壁パネルの吊り上げ方法。
【請求項２】
前記支持片の先端が前記外壁パネルの挿入孔の終端に当接したときの前記引掛け片の引掛け部の位置が、前記外壁パネルの幅方向の重心位置に一致するように構成されている、請求項１に記載の外壁パネルの吊り上げ方法。
【請求項３】
前記引掛け部が、吊り上げられる外壁パネルの幅寸法のバリエーションに応じて複数設けられている、請求項１又は２に記載の外壁パネルの吊り上げ方法。
【請求項４】
吊り上げた前記外壁パネルが前記支持片から脱落するのを防止するストッパー片をさらに有する、請求項１〜３のいずれかに記載の外壁パネルの吊り上げ方法。
【請求項５】
前記支持片は、円柱状に形成され、前記外壁パネルの挿入孔内で前記外壁パネルに対し回転自在である、請求項１〜４のいずれかに記載の外壁パネルの吊り上げ方法。
【発明の詳細な説明】
【技術分野】
【０００１】
本発明は、揚重機により外壁パネルを吊り上げるための外壁パネル吊り上げ具及び外壁パネルに関する。
【背景技術】
【０００２】
例えば鉄骨造などの建物においては、軽量気泡コンクリート（ＡＬＣ）等からなる多数の外壁パネルで外壁を構成することが一般的に行われている。かかる建物の施工時には、外壁パネルを揚重機により建物より高い位置まで吊り上げて搬送し、所定位置で外壁パネルを降下させて躯体に取り付ける。
【０００３】
外壁パネルの吊り上げは、例えば図１０に示すように、外壁パネル１００にスリングベルト１０１を外壁パネル上端付近に巻き付け、当該スリングベルト１０１を揚重機のフックに引っ掛けて持ち上げることによって行われている。
【０００４】
上述のスリングベルトを用いた方法では、吊り上げた際に外壁パネル１００がパネルの厚み方向に傾いてしまう（外壁パネル１００の厚み方向の重心と吊り下げ位置とのズレによって上端が建物外部側に倒れる）。このため、例えば商業地域に建物を建てるような場合等、隣地建物との間に十分なスペースが確保されない場合に、外壁パネルの取り付け作業が困難になる。
【０００５】
また、スリングベルトを用いた場合、スリングベルトにより外壁パネルの表面が傷つく恐れがある。特に、隣地建物が近接して、外壁パネル取り付け後の目地部のシール材充填工事や外壁塗装工事が困難な場合には、予め外壁パネルに塗装やシール材の装着が施されていることがあり、その場合に、外壁パネルがスリングベルトで吊り上げられると、塗膜や損傷したりシール材が剥がれ落ちたりする恐れがある。
【０００６】
ところで、特許文献１には、上述のスリングベルトを用いない、コンクリートパネルの吊上げ・取付兼用アンカー装置について記載されている。この吊上げ・取付兼用アンカー装置は、コンクリートパネルの上小口面に形成された縦穴に挿入される棒状部材、縦穴に連通するように形成された横穴に挿入される筒状部材、棒状部材の上端ねじ部に螺合される吊上げ部材等で構成されている（特許文献１の第４図参照）。
【先行技術文献】
【特許文献】
【０００７】
【特許文献１】特開平０５−０５１９９６号公報
【発明の概要】
【発明が解決しようとする課題】
【０００８】
しかし、上述の吊上げ・取付兼用アンカー装置の場合、装置の部品が多く構造が複雑である。このため、装置のコンクリートパネルへの着脱作業が煩雑になり手間や時間がかかる。また、装置コストも高くなる。さらに、コンクリートパネルを点で支えることになるため、その支点付近に荷重が集中し、強度が比較的低いパネルの場合にはパネルが破損する恐れがある。
【０００９】
本発明はかかる点に鑑みてなされたものであり、狭小なスペースにおける外壁パネルの取り付け作業において、外壁パネルへの着脱が簡単で手間や時間がかからず、強度が低い外壁パネルにも対応でき、なおかつ構成が単純でコスト的にも有利な外壁パネルの吊り上げ方法を提供することをその目的とする。
【課題を解決するための手段】
【００１０】
上記目的を達成するための本発明は、外壁パネルの幅方向の一方の側面から当該幅方向に向かって形成された挿入孔に挿入されて前記外壁パネルを支持する支持片と、前記支持片に略平行に設けられ、揚重機のフックが引掛けられる引掛け部を有する引掛け片と、前記支持片と前記引掛け片を連結する連結片と、を有する外壁パネル吊り上げ具における前記支持片を、前記挿通孔に挿通して前記外壁パネルを吊り上げる、外壁パネルの吊り上げ方法である。
【００１１】
本発明によれば、外壁パネルを鉛直姿勢に保った状態で外壁パネルを吊り上げることができるので、狭小なスペースにおける外壁パネルの吊り上げ作業を適正に行うことができる。また、支持片を外壁パネルの挿入孔に出し入れすることによって、外壁パネルへの着脱を行うことができるので、着脱が簡単で手間や時間がかからない。また、装置構成が単純で安価である。さらに、支持片全体で外壁パネルを支持できるので、荷重が分散し、強度が低い外壁パネルでも破損の恐れがなく適切に吊り上げることができる。
【００１２】
前記外壁パネル吊り上げ具は、前記支持片の先端が前記外壁パネルの挿入孔の終端に当接したときの前記引掛け片の引掛け部の位置が、前記外壁パネルの幅方向の重心位置に一致するように構成されていてもよい。かかる場合、支持片を外壁パネルの挿入孔の終端まで挿入することで、支持片を外壁パネルの幅方向についてバランスの取れた適切な位置に容易に装着することができ、外壁パネルへの装着の手間や時間をさらに低減できる。
【００１３】
前記引掛け部が、吊り上げられる外壁パネルの幅寸法のバリエーションに応じて複数設けられていてもよい。かかる場合、建築現場において幅寸法の異なる複数種類の外壁パネルが用いられる場合であっても同じ外壁パネル吊り上げ具を用いて施工することができるので、作業効率を向上できる。
【００１４】
以上の外壁パネル吊り上げ具は、吊り上げた前記外壁パネルが前記支持片から脱落するのを防止するストッパー片をさらに有していてもよい。かかる場合、外壁パネルが万が一落下することを防止できる。
【００１５】
また、前記支持片は、円柱状に形成され、前記外壁パネルの挿入孔内で前記外壁パネルに対し回転自在であってもよい。かかる場合、外壁パネルを吊り上げた際に、その外壁パネルの自重により姿勢が鉛直方向に修正されるので、より狭いスペースでの外壁パネルの吊り上げを実現できる。また、支持片を軸に外壁パネル吊り上げ具全体を外壁パネルに対して回動できるので、外壁パネル吊り上げ具を扱いやすい角度に動かして、外壁パネルへの着脱をより簡単に行うことができる。
【発明の効果】
【００１７】
本発明によれば、外壁パネルを揚重機等で吊り上げて行う外壁パネルの取り付け作業を、構成が単純でコスト的に有利な外壁パネル吊り上げ具を用いて、簡単かつ適正に行うことができる。
【図面の簡単な説明】
【００１８】
【図１】外壁パネル吊り上げ具の構成を示す説明図である。
【図２】（ａ）は、外壁パネルの側面図であり、（ｂ）は、外壁パネルの正面図である      。
【図３】外壁パネルを吊り上げた状態の外壁パネル吊り上げ具を示す説明図である。
【図４】外壁パネルを吊り上げた状態の外壁パネル吊り上げ具の側面図である。
【図５】ストッパー片を有する外壁パネル吊り上げ具の構成を示す説明図である。
【図６】ストッパー部の進退機構の一例を示す説明図である。
【図７】ストッパー部の進退機構の一例を示す説明図である。
【図８】引掛け部が二つある外壁パネル吊り上げ具が、幅広の外壁パネルを支持した状態を示す説明図である。
【図９】引掛け部が二つある外壁パネル吊り上げ具が、幅狭の外壁パネルを支持した状態を示す説明図である。
【図１０】スリングベルトにより外壁パネルを吊り上げている状態を示す説明図である。
【発明を実施するための形態】
【００１９】
以下、図面を参照して、本発明の好ましい実施の形態について説明する。図１は、本実施の形態に係る外壁パネル吊り上げ具１の構成の概略を示す説明図である。
【００２０】
外壁パネル吊り上げ具１は、例えば１本の長い丸棒鋼を曲げ加工することにより形成されており、外壁パネル２０を支持する支持片１０と、揚重機のフックが引掛けられる引掛け片１１と、支持片１０と引掛け片１１の端部同士を連結する連結片１２とを有し、全体が略コの字状となっている。
【００２１】
図２に示すように例えば外壁パネル２０には、外壁パネル２０の幅方向Ａの一方の側面２０ａから当該幅方向Ａに沿って延びる挿入孔２１が形成されている。挿入孔２１は、外壁パネル２０の長手（高さ）方向Ｂの一方の端面に近い位置であって外壁パネル２０の厚み方向Ｃの中央に形成されている。挿入孔２１は、貫通しておらず、少なくとも外壁パネル２０の幅方向Ａの中央よりも他方の側面２０ｂに近い位置まで形成されている。
【００２２】
図１に示すように支持片１０は、外壁パネル２０の挿入孔２１に挿入可能に形成されている。例えば支持片１０は、挿入孔２１内において回転可能な直径を有している。また、支持片１０は、挿入孔２１よりも長い寸法を有している。
【００２３】
引掛け片１１は、支持片１０と平行となっており、中央付近に揚重機のフックが引掛けられる引掛け部３０を有している。引掛け部３０は、例えば引掛け片１１の一部を上方に凸に湾曲させることによって形成されている。また、引掛け部３０は、支持片１０の先端が外壁パネル２０の挿入孔２１の終端２１ａに当接したときに、外壁パネル２０の幅方向Ａの重心位置Ｇに一致する位置に形成されている。
【００２４】
連結片１２は、支持片１０と引掛け片１１に対し直角方向に延び、支持片１０と引掛け片１１の同じ側の端部同士を連結している。
【００２５】
次に、以上のように構成された外壁パネル吊り上げ具１を用いた外壁パネル２０の取り付け方法について説明する。
【００２６】
吊り上げられる外壁パネル２０は、例えば所定の平面モジュールを有する鉄骨造の工業化住宅の外壁を構成する軽量気泡コンクリート（ＡＬＣ）からなる外壁パネルである。また、外壁パネル２０は、例えば近隣建物と近接した足場の仮設が困難なほどに狭隘な敷地に建築され、外壁パネルの取り付け後に建物外部側からのシーリング打設作業や吹付け塗装作業が困難な建物に適用されるものである。このため、外壁パネル２０の表面及び側面、上下端面には、予め塗料が塗布されて塗膜が形成され、側面には目地部の防水用の乾式目地材が装着されている。
【００２７】
先ず、図３及び図４に示すように外壁パネル２０の挿入孔２１に外壁パネル吊り上げ具１の支持片１０が挿入される。支持片１０は、先端が挿入孔２１の終端２１ａに当接するまで挿入される。これにより、外壁パネル２０の幅方向Ａの重心位置Ｇと引掛け部３０の位置が一致する。なお、挿入孔２１は、外壁パネル２０の厚み方向Ｃの中心に形成されているので、外壁パネル２０の厚み方向Ｃの重心位置と引掛け部３０の位置も一致する。なお、図では外壁パネル２０が起立した状態で描かれているが、実際には、建築現場内あるいは搬送用トラックの荷台に積層（横積み）され、水平に寝かされた状態で支持片１０の挿通作業がなされるのが一般的である。
【００２８】
次に、引掛け部３０に揚重機のフックＦが引っ掛けられる。その後、揚重機によりフックＦが引っ張り上げられ、外壁パネル吊り上げ具１を介して外壁パネル２０が上空に吊り上げられる。このとき、例えば支持片１０が挿入孔２１内で軸周りに回転し、外壁パネル２０の鉛直方向の姿勢が維持される。その後、外壁パネル２０は、揚重機により建物外周部の所定の位置に搬送され、降下される。所定高さまで降下された外壁パネル２０は、建物内部で待機する作業者によってその下端が建物内部側に引き寄せられて、梁の上フランジ外側に取り付けられた外壁パネル受け金物に載置されて仮固定される。その後、外壁パネル２０の上端が建物の外部側に倒れないように他の手段で仮に保持された状態で、外壁パネル２０の挿入孔２１から支持片１０が引き抜かれる。そして、外壁パネル２０が所定の金具やボルトを用いて建物の躯体に取り付けられる。
【００２９】
本実施の形態によれば、外壁パネル２０を鉛直姿勢を保った状態で吊り上げることができるので、隣地建物との間の空間が僅かな場合であっても外壁パネル２０の取り付け作業を適正に行うことができる。また、支持片１０を外壁パネル２０の挿入孔２１に出し入れすることによって、外壁パネル２０への着脱を行うことができるので、着脱が簡単で手間や時間がかからない。また、外壁パネル吊下げ具１の装置構成が単純で安価である。さらに、支持片１０全体で外壁パネル２０を支持できるので、荷重が分散し、強度が低い外壁パネルでも破損の恐れがなく適切に吊り上げることができる。
【００３０】
また、外壁パネル吊り上げ具１は、支持片１０の先端が挿入孔２１の終端２１ａに当接したときの引掛け部３０の位置が、外壁パネル２０の幅方向Ａの重心位置Ｇに一致するように構成されている。このため、支持片１０を挿入孔２１の終端２１ａまで挿入すれば、吊り上げ時の外壁パネル２０のバランスが取れるので、支持片１０をバランスの取れた最適な位置に容易に装着することができ、外壁パネル吊り上げ具１の装着の手間や時間をより低減できる。
【００３１】
また、支持片１０は、丸棒状に形成され、外壁パネル２０の挿入孔２１内で外壁パネル２０に対し回転自在であるので、外壁パネル２０を吊り上げた際に、その外壁パネル２０の自重により自動的に姿勢が鉛直方向に修正されるので、より狭いスペースでの外壁パネル２０の吊り上げを実現できる。また、支持片１０を軸にして外壁パネル吊り上げ具１全体を外壁パネル２０に対して回動できるので、外壁パネル吊り上げ具１を扱いやすい角度に動かして、外壁パネル２０への着脱をより簡単に行うことができる。
【００３２】
上記実施の形態における外壁パネル吊り上げ具１は、図５に示すように吊り上げた外壁パネル２０が支持片１０から脱落するのを防止するストッパー片５０を有していてもよい。かかる場合、例えば引掛け片１１には、連結片１２が連結されていない側の端部から下方に向けて延びる棒状のストッパー片５０が接続されている。ストッパー片５０は、支持片１０、引掛け片１１及び連結片１２と同一平面上にあり、連結片１２に対向し平行で、支持片１０及び引掛け片１１に対し垂直に向けられている。また、この場合、例えばストッパー片５０と連結片１２を接続する補強片５１が設けられている。
【００３３】
ストッパー片５０は、例えば吊り上げられた外壁パネル２０の他の側面２０ｂに対向するストッパー部５０ａを有し、このストッパー部５０ａにおいて、支持片１０に対し幅方向Ａにずれた外壁パネル２０を止めることができる。
【００３４】
ストッパー部５０ａは、例えば外壁パネル２０の他方の側面２０ｂに対向する位置から退避可能に構成されていてもよい。例えばストッパー片５０には、ストッパー部５０ａをストッパー片５０の本体に対し進退させる進退機構が設けられている。進退機構は、例えば図６に示すようにストッパー部５０ａをストッパー片５０本体に沿って移動させるスライド機構であってもよい。かかる場合、例えばストッパー部５０ａにスリットＤを形成し、当該スリットＤ内にストッパー片５０本体に固定された２つのネジ６０を設け、ストッパー部５０ａをスリットＤ方向にスライドさせ、所望の位置でネジ６０を締めて固定するようにしてもよい。このとき、ネジ６０は、ストッパー部５０ａのスライドの範囲を制限するストッパーとしても機能する。
【００３５】
また、ストッパー部５０ａの進退機構は、例えば図７に示すようにストッパー部５０ａをストッパー片５０の本体に対し回動させる回動機構であってもよい。かかる場合、例えばストッパー片５０の本体にストッパー部５０ａを軸止するネジ７０を設けて、ストッパー部５０ａをネジ７０周りに回動させ、所望の位置でネジ７０を締めて固定するようにしてもよい。このとき、ストッパー部５０ａには、回動の範囲を制限するストッパー板７１を設けてもよい。なお、ストッパー部５０ａの進退機構は、これらの構成に限られず他の構成を有するものであってもよい。
【００３６】
以上のように外壁パネル吊下げ具１にストッパー片５０を設けた場合、外壁パネル２０が万一落下するのを防止できる。また、ストッパー片５０にストッパー部５０ａの進退機構を設けることにより、ストッパー部５０ａが邪魔にならずスムーズに支持片１０を挿入孔２１に挿入することができる。
【００３７】
以上の実施の形態において、外壁パネル吊り上げ具１の引掛け部３０は、引掛け片１１に一つ設けられていたが、吊り上げられる外壁パネル２０の幅寸法のバリエーションに応じて複数設けられていてもよい。例えば外壁パネル２０の幅寸法が二種類ある場合に、図８及び図９に示すように引掛け片１１に二つの引掛け部３０ａ、３０ｂが設けられる。例えば引掛け部３０ａは、幅の広い外壁パネル２０用であり、引掛け部３０ｂは、幅の狭い外壁パネル２０用である。また、引掛け部３０ａは、図８に示すように支持片１０の先端が挿入孔２１の終端２１ａに当接したときに、幅広の外壁パネル２０の幅方向Ａの重心位置Ｇに一致するような位置に形成され、引掛け部３０ｂは、図９に示すように支持片１０の先端が挿入孔２１の終端２１ａに当接したときに、幅狭の外壁パネル２０の幅方向Ａの重心位置Ｇに一致するような位置に形成される。かかる場合、建築現場において、幅寸法の異なる複数種類の外壁パネル２０を吊り上げる必要がある場合に同じ外壁パネル吊り上げ具１を用いて施工することができるので、作業効率を向上できる。なお、引掛け部３０の数は、二つに限られず、吊り上げられる外壁パネル２０の種類の数に応じて任意に選択できる。
【００３８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３９】
例えば以上の実施の形態において、外壁パネル２０の挿入孔２１が貫通しており、外壁パネル吊り上げ具１の支持片１０が挿入孔２１を貫通するものであってもよい。この場合、装着された外壁パネル吊り上げ具１と外壁パネル２０との位置関係を適正にする為に、例えば外壁パネル２０の一の側面２０ａが連結片１２に接触した状態でバランスが取れるように引掛け部３０の位置を定めてもよい。また、支持片１０に外壁パネル２０の一の側面２０ａと接触する突起等を設けてもよい。引掛け片１１の引掛け部３０の形状は、例えばリング状等の他の形状であってもよい。また、支持片１０の形状も円柱状に限られず他の形状であってもよい。
【産業上の利用可能性】
【００４０】
本発明は、狭小なスペースにおける外壁パネルの取り付け作業を簡単に行う際に有用である。
【符号の説明】
【００４１】
１  外壁パネル吊り上げ具
１０  支持片
１１  引掛け片
１２  連結片
２０  外壁パネル
２０ａ  一の側面
２０ｂ  他の側面
２１  挿入孔
３０  引掛け部
５０  ストッパー片
Ａ  外壁パネルの幅方向
Ｂ  外壁パネルの長手方向
Ｃ  外壁パネルの厚み方向
【図１】
0006046337.tif 000002
【図２】
0006046337.tif 000003
【図３】
0006046337.tif 000004
【図４】
0006046337.tif 000005
【図５】
0006046337.tif 000006
【図６】
0006046337.tif 000007
【図７】
0006046337.tif 000008
【図８】
0006046337.tif 000009
【図９】
0006046337.tif 000010
【図１０】
0006046337.tif 000011